(57)【要約】【課題】リード線と接触するターミナルを略４５度傾けた形に形成し、その傾けた分を付勢力としてハウジングに被せるキャップを半自動的に開閉できる電線接続用プラグを提供する。【解決手段】電線接続用プラグは、前方位置に外部機器と接続する接続手段を備え、後方位置にリード線と接続する接続手段を備えた電線接続用プラグであって、仕切り壁を介して複数のターミナル室を備えたハウジングと、一方の端部に外部機器と接触する機器接触部を備え、他方の端部にリード線と接触する板バネ接触部を備えたターミナルと、前記ハウジングのターミナル室に前記ターミナルを収納した状態で前記ターミナルの弾性力により回動して開閉するキャップとからなり、前記ターミナルは、中間位置を略４５度に折り曲げて形成し、前記キャップはこの折り曲げた付勢力で開閉回動することである。【選択図】図１
2005129447.tif 000002
【特許請求の範囲】
【請求項１】
前方位置に外部機器と接続する接続手段を備え、後方位置にリード線と接続する接続手段を備えた電線接続用プラグであって、
仕切り壁を介して複数のターミナル室を備えたハウジングと、一方の端部に外部機器と接触する機器接触部を備え、他方の端部にリード線と接触する板バネ接触部を備えたターミナルと、前記ハウジングのターミナル室に前記ターミナルを収納した状態で前記ターミナルの弾性力により回動して開閉するキャップとからなり、
前記ターミナルは、中間位置を略４５度に折り曲げて形成し、前記キャップはこの折り曲げた付勢力で開閉回動することを特徴とする電線接続用プラグ。
【請求項２】
前記ターミナルは、前記ターミナル室に設けたターミナル係止孔に係止片を係合させて抜け止め係止することを特徴とする請求項１に記載の電線接続用プラグ。
【請求項３】
前記複数のターミナル室は、一対のターミナル室である請求項１に記載の電線接続用プラグ。
【発明の詳細な説明】
【技術分野】
【０００１】
本発明は、電線接続用プラグに関し、詳しくはリード線をオーディオ機器等の機器に接続するプッシュターミナルであり、特に、Ｌ、Ｒ一対の信号線からなるリード線を、スピーカー、オーディオ機器などへ接続するのに好適な電線接続用プラグに関する。
【背景技術】
【０００２】
従来技術における電線接続用プラグ１１１は、図１０及び図１１に示すように、ハウジング１１２と、ハウジング１１２に回動自在に取り付けられるカバー１１３とによって形成されている。
【０００３】
このプラグ１１１は、例えば、オーディオ機器のアンプとスピーカー等の接続に使用されるものであり、これらの機器１１４側のソケット１１５に挿抜自在に差し込まれる。
【０００４】
ハウジング１１２は、図１１に示すように、外形が縦長の直方体に形成され、略中央部分の仕切り壁１１６によって図中左右の収納室１１７ａ、１１７ｂに区分けされている。それぞれの収納室１１７ａ、１１７ｂのリード線１１８ａ、１１８ｂを挿入する側は、更に図１３及び図１４に示すように、隔壁１１９によって上側のリード線収納室１１７ａ、１１７ｂと下側のターミナル収容室１２０ａ、１２０ｂに仕切られ、リード線収納室１１７ａ、１１７ｂに後端側からリード線１１８ａ、１１８ｂが挿入され、ターミナル収容室１２０ａ、１２０ｂに先端側からターミナル１２１が配置される。
【０００５】
ターミナル１２１は、図１２に示すように、機器端子側が挿入されることにより、機器側端子を弾性的に挟持して接続を行う外部接続部となる一対の接触片１２２と、この接触片１２２の基端で鉛直方向に起立し接触片１２２を水平に片持ち支持する支持片１２３と、支持片１２３からリード線の挿入側に向かって水平に連設された連設片１２４と、この連設片１２４の自由端側をＵ字状に折り返すことによりリード線収納室１１７ａ（、１１７ｂ）側に付勢された板バネ接触部１２５（図１３、図１４参照）とが一体的に形成されている。連設片１２４の中間部分には、係止片１２６が切り起こされており、この係止片１２６がハウジング１１２に形成された係止窓１２７（図１３、図１４参照）に係止する構造となっている。
このような構造をしたターミナル１２１は、先端部分から各ターミナル収容室１２０ａ、１２０ｂに挿入され、係止片１２６はハウジング１１２の係止窓１２７に係合することにより、先端へ抜け止めされ、ハウジング１１２に固定される。
【０００６】
板バネ接触部１２５は、連設片１２４から湾曲状に折り返されることにより、バネ性を有した状態となっている。この板バネ接触部１２５は、リード線収納室１１７ａ、１１７ｂに挿入されるリード線１１８ａ（、１１８ｂ）の皮剥部分の下方で略平行となるように延びている。この板バネ接触部１２５には、接触突起１２８が幅方向に形成されている。この接触突起１２８は、板バネ接触部１２５の他の部分よりもリード線収納室１１７ａ（、１１７ｂ）に向かって高くなり、以下に説明するように接触突起１２８を、連通孔１２９へ臨ませることにより、リード線１１８ａ（、１１８ｂ）の皮剥部分に弾性接触させることができる。
【０００７】
連通孔１２９は、図１３に示すように、隔壁１１９の長さ方向の中間部分に穿設され、この連通孔１２９により、ターミナル収納室１２０ａ（、１２０ｂ）と、リード線収納室１１７ａ（、１１７ｂ）とが連通状態となっている。
【０００８】
この連通孔１２９の上方の部位には、カバー１１３のクランプ突部１３０を挿通させる窓孔１３１が、各リード線収納室１１７ａ（、１１７ｂ）に対してそれぞれ形成されている。
【０００９】
カバー１１３は、図１１に示すように、天板部１３２と、この天板部１３２の両側から屈曲状に連設された一対の側板部１３３と、天板部１３２の先端に鉛直方向に連設された前板部１３４とを有する下向き枠状に形成されており、これによりハウジング１１２を上方から覆う構造になっている。
カバー１１３の側板部１３３には、ハウジングの外面に形成された回動軸１３５が挿通されて回動中心となる回動孔１３３ａが形成されている。このカバー１１３は、回動孔１３３ａに回動軸１３５を挿通させることにより、ハウジング１１２に着脱且つ回動自在に取り付けられる。
【００１０】
側板部１３３の後方には、天板部１３２から一対の係合脚部１３６が垂設されており、それぞれの係合脚部１３６に係合孔１３７が形成されている。係合孔１３７は、カバー１１３をハウジング側へ回動してハウジング１１３に被せたときに、ハウジング１１３の外側面に形成されている係合凸部１３８と係合するもので、両者の係合によりカバー１１３とハウジング１１２は一体となり、一体状態で、プラグがソケットに差し込まれる。
【００１１】
一対のクランプ突部１３０は、窓孔１３１から隔壁の連通孔１２９に突出する天板部１３２の対応部位に、天板部１３２の内面から垂設されている。クランプ突部１３０は、図１３及び図１４に示すように、中空となった肉厚の断面多角形状に形成され、クランプ突部１３０の底面は、先端側の回避面１３０ａとその後方で連続する押圧面１３０ｂとからなっている。
【００１２】
カバー１１３が略水平になった図１４に示す状態で、回避面１３０ａは、先端に向かって上方に傾斜し、押圧面１３０ｂは、逆に後方に向かって緩やかに上方に傾斜する平面で、クランプ突部１３０の後面に連続している。押圧面１３０ｂの傾斜は、図に示すように、連設片１２４からＵ字状に折り返され板バネ接触部１２５の撓む方向に対し、押圧面１３０ｂを含む傾斜面が略直交するように形成されている。
【００１３】
このクランプ突部１３０は、カバー１１３の回動に伴って、窓孔１３１からリード線収納室１１７ａ（、１１７ｂ）内に進入し、この進入によってリード線収納室１１７ａ（、１１７ｂ）内のリード線１１８ａ（、１１８ｂ）の皮剥部分を押圧して屈曲させる。更に、クランプ突部１３０は、リード線収納室１１７ａ（、１１７ｂ）から隔壁１１９の連通孔１２９に突出し、これにより皮剥部分をターミナル収納室１２０ａ（、１２０ｂ）内に露出させつつ、皮剥部分を略コ字形に屈曲させる。
【００１４】
クランプ突部１３０によるリード線１１８ａ（、１１８ｂ）の押圧において、クランプ突部１３０の先端側の底面は、先端に向かって上方に傾斜する回避面１３０ａとなっているので、専ら平面に形成された押圧面１３０ｂがリード線１１８ａ（、１１８ｂ）の皮剥部分を押圧し、食い込むことがない。そのため、リード線１１８ａ（、１１８ｂ）にクランプ突部１３０の鋭角が当接することによるリード線１１８ａ（、１１８ｂ）の破断がなく、挿抜を繰り返して再利用できる。
【００１５】
押圧面１３０ｂにより押し込まれた皮剥部分は、連通孔１２９でターミナル収納室１２０ａ（、１２０ｂ）に露出することにより、連通孔１２９に対して付勢される板バネ接触部１２５と弾性接触する。この弾性接触では、板バネ接触部１２５の幅方向に沿って形成された接触突起１２８が接触するため、接触突起１２５と皮剥部分とが線接触で接触することになる。
【００１６】
又、接触突起１２８が弾性接触するリード線１１８ａ（、１１８ｂ）の皮剥部分は、板バネ接触部１２５の撓み方向に対して略直交する押圧面１３０ｂに沿って露出するので、接触突起１２５による接触位置が前後にずれても、板バネ接触部１２５の撓み量は変化せず、従って、接触抵抗も変化せず、安定した電気接続特性が得られる。
【００１７】
このように、クランプ突部１３０の表面に沿って、リード線１１８ａ（、１１８ｂ）の皮剥部分を略コ字形に屈曲させるので、ハウジング１１２に対するリード線１１８ａ（、１１８ｂ）の保持力を大きなものとすることができる。このため、プラグをソケットから引き抜く際に、リード線１１８（、１１８ｂ）を摘んで引いてもリード線１１８ａ（、１１８ｂ）のみがソケットから引き抜かれることなく、ソケットの全体を引き抜くことができる。
【００１８】
【特許文献１】特願２００２−２５５１６５号公報
【発明の開示】
【発明が解決しようとする課題】
【００１９】
しかしながら、上記背景技術の項で説明した従来技術のプラグにおいては、リード線を挿入してから、カバーを閉めるという２ステップのアクションが必要であることから、操作が結構面倒で且つ構造も複雑であるという問題がある。
従って、このプラグが使用される環境を考えて、操作性を簡単にして且つ構造を簡単にすることに解決しなければならない課題を有する。
【課題を解決するための手段】
【００２０】
上記課題を解決するために、本発明に係る電線接続用プラグは、次に示す構成にすることである。
【００２１】
（１）電線接続用プラグは、前方位置に外部機器と接続する接続手段を備え、後方位置にリード線と接続する接続手段を備えた電線接続用プラグであって、仕切り壁を介して複数のターミナル室を備えたハウジングと、一方の端部に外部機器と接触する機器接触部を備え、他方の端部にリード線と接触する板バネ接触部を備えたターミナルと、前記ハウジングのターミナル室に前記ターミナルを収納した状態で前記ターミナルの弾性力により回動して開閉するキャップとからなり、
前記ターミナルは、中間位置を略４５度に折り曲げて形成し、前記キャップはこの折り曲げた付勢力で開閉回動することである。
（２）前記ターミナルは、前記ターミナル室に設けたターミナル係止孔に係止片を係合させて抜け止め係止することを特徴とする（１）に記載の電線接続用プラグ。
（３）前記複数のターミナル室は、一対のターミナル室である（１）に記載の電線接続用プラグ。
【発明の効果】
【００２２】
本発明のプラグは、ハウジングに被せるキャップを外すときに、ハウジングに収納されているターミナルの上方向を向いた接触片の弾性力を利用して半自動的にキャップを外すようにしたことで、キャップ（蓋）とレバーを共有することが可能となり、これは接触片と接続するリード線を押さえるためのレバー等の部品を削減でき、そのぶんコストを抑制することばかりでなく構造的に簡単にすることができ、しかも組み立て工程を簡略化することができる。
【発明を実施するための最良の形態】
【００２３】
次に、本発明に係る電線接続用プラグに係る実施形態を図面を参照して説明する。
【実施例１】
【００２４】
本発明に係る電線接続用プラグは、図１に示すように、内部が空洞で上部の略半分を開口にし且つ側壁面で覆われた直方体形状のハウジング１１と、このハウジング１１内に整列状態で収容することができる複数のターミナル５０と、ハウジング１１に両端部を係合し且つ水平方向に摺動させるとターミナル５０の付勢力で鉛直方向に片持ち状態で回動して開くように形成されたキャップ３０とから構成されている。
【００２５】
ハウジング１１は、図１及び図２に示すように、細長の直方体に形成され、両側に設けた側板部１２と、前側に機器の端子と接続する機器接触孔１３を設けた前板部１４と、ターミナルを載置する底板部１５と、底板部１５に鉛直方向に立設し、一対のターミナル収納室１６ａ、１６ｂに分離する仕切り壁１７と、側板部１２、１２で支持され、キャップ３０の大きさだけ切欠いた天板部１８とからなる。
【００２６】
側板部１２は、その後方端部の略中央位置に水平奥方向に切欠いたキャップガイド溝１９を設け、天井位置の板厚を切欠いてキャップ３０の接合部３３と接合するキャップ接合面２０と、このキャップ接合面２０に連設して奥方向に内側にテーパを持って形成されキャップ３０の係合突起３５をガイドするキャップガイド面２１と、このキャップガイド面２１の下方向であって、側板部１２の略中間位置に設けたキャップ摺動孔２２とを備えた構造になっている。
【００２７】
キャップ摺動孔２２は、側板部１２の長手方向に沿って前方向（図１で左側）が筒形状の係合突起３５が収まる大きさの孔に形成され、その後方向（図１で右側）が一回り大きな孔で形成された構造となっている。
【００２８】
底板部１５は、後面端部にキャップ３０のガイド溝３６に係合する一対のキャップガイド爪２３と、このキャップガイド爪２３に連設し肉薄に形成されたキャップスライド面２４と、仕切り壁１７で分離されたターミナル収納室１６ａ（、１６ｂ）の底部を形成するターミナル載置部２５とからなる。
【００２９】
ターミナル載置部２５には、キャップ摺動孔２２の近傍位置にターミナル５０の接触凸部６４が露出するように設けた接片露出孔２６と、この接片露出孔２６の奥位置で天板部１８に覆われた位置に設けられ、ターミナル５０の係止片５８に係合するターミナル係止孔２７とを設けた構造になっている。
【００３０】
キャップ３０は、図１、図３及び図４に示すように、略直方体形状に形成され、下部側開口で、２つのターミナル５０の支持部位の部分（接触支持部６１、ガイド片６０）を整列状態に収納できる一対の接触部位収納室３１ａ、３１ｂと、両端側の側壁３２から突出形成したハウジング１１のキャップ接合面２０に接合してガイドする接合部３３と、接合部３３の下部位置の側壁３２に外方向に突出形成したハウジング１１のキャップガイド溝１９に係合する四角形状の係止突起３４と、側壁３２の後端部に外方向に円筒形状に突出形成された係合突起３５と、接合部３３を含む前方に設けた前板部３８と、前板部３８の下端部に設けられキャップガイド爪２３が係合する大きさの溝からなるガイド溝３６と、このガイド溝３６の上部中央位置にリード線を係合させるリード線挿入溝３７を備えた構造になっている。
【００３１】
一対の接触部位収納室３１ａ、３１ｂは、仕切り壁３９で分離され、ターミナル５０のガイド片６０を係合させて板バネ接触部５４を遊係合する構造になっており、側壁３２の内面４３に頂面４０から所定高さの位置に内側方向に線条に突設させて設けた第１のガイド片係合凸部４１と、仕切り壁３９の内面４４に頂面４０から所定高さの位置に第１のガイド片係合凸部４１と対向する方向の内側方向に線条に突設させて設けた第２のガイド片係合凸部４２とを備えた構造になっている。
このような構造において、頂面４０と第１及び第２のガイド片係合凸部４１、４２とで形成された空間、即ち、接触部位収納室３１ａ（、３１ｂ）にターミナル５０のガイド片６０を係合させて板バネ接触部５４を遊嵌合させ、且つ摺動自在に嵌合させる。
【００３２】
ターミナル５０は、図１、図５及び図６に示すように、外部機器に直接接触する機器接触部５１と、この機器接触部５１に水平方向に延設した連設部５２と、連設部５２に連設し、起立した状態に形成した部位から略４５度上方向に折り曲げた折曲部５３と、その折曲部５３の折り曲げた先端を更に折り返して板バネを形成してなる板バネ接触部５４とからなる。
【００３３】
機器接触部５１は、平板形状の支持部５５の両端から延びた部材を前方方向に略三角筒形状に形成した弾性部５６と、この弾性部５６の接触している位置から延長線上にやや間口を開けるように形成した接触片５７とからなる。
【００３４】
連設部５２は、支持部５５に連設された平板形状の中に切欠いて下部方向に折り曲げた係止片５８を設けた構造になっている。
【００３５】
板バネ接触部５４は、連設部５２に連続されて起立された支持基部５９から略４５度右上方向に折り曲げて形成された折曲部５３から所定の長さに形成され両端にやや下方向に折り曲げたガイド片６０を備えた接触支持部６１と、接触支持部６１から略屈曲形状に折り曲げて弾性力を形成する板バネ部６２と、板バネ部６２に連設され所定長さのリード線接触部６３と、このリード線接触部６３に連設され外方向に略く字型形状に変形された接触凸部６４と、接触凸部６４に連設した端部６５とからなる。
【００３６】
このような構成からなるプラグの組み立ては、先ず、ハウジング１１にターミナル５０を差し込むことから始める・
ターミナル５０の機器接触部５１側からハウジング１１のターミナル収納室１６ａ（、１６ｂ）に挿入して、係止片５８をターミナル係止孔２７に嵌め込むことで、ターミナル５０はターミナル収納室１６ａ（、１６ｂ）に係合係止される。この状態で板バネ接触部５４はハウジング１１から飛び出た状態で斜め上方向を臨んだ状態で配設され、機器接触部５１の接触片３７が機器接触孔１３に臨んだ状態で配置される。
【００３７】
このようにして２つのターミナル５０をターミナル収納室１６ａ、１６ｂに収容した後に、２つのターミナル５０の接触支持部６１をキャップ３０の接触部位収納室３１ａ、３１ｂに係合させた状態で、キャップガイド面２１に係合突起３５を擦りながらキャップ摺動孔２２方向に差し込んで、キャップ摺動孔２２に係合突起３５を遊嵌合状態で嵌め込む。
これでキャップ３０が開の状態で組み立ては完了する。このとき、図９に示すように、キャップ３０はターミナル５０の上方向に向いている付勢力で斜め上方向に開いた状態を維持し、ターミナル５０の接触凸部６４がターミナル収納室１６ａ、１６ｂに設けてある接片露出孔２６を臨んだ位置に位置される。
この状態で、図９に示すように、ターミナル収納室１６ａ、１６ｂのターミナル載置部２５とターミナル５０のリード線接触部６３との間にリード線７０を押し込むようにして入れ、キャップ３０を閉じる方向に閉めることで、リード線７０を接片露出孔２６と接触凸部６４との間のリード線７０を接触凸部６４の凸部分だけ接片露出孔２６側に変形させることでリード線７０を固定させると共に係止突起３４をキャップガイド溝１９に係合させ、図８に示すように、そのまま奥方向にスライドさせて、接合部３３がハウジング１１のキャップ接合面２０の前面に当接させることでリード線７０を差し込んだプラグが完成する。
【００３８】
次に、キャップ３０を開けてリード線７０を取り出すときには、図７、図８及び図９に示すように、キャップ３０を後方に摺動させることで、キャップガイド溝１９に係合している係止突起３４が外れると、ターミナル５０の折曲部５３の弾性力によりキャップ３０自体が上方向に回動して開く。このようにして、差し込んであるリード線を取り外すことができる。
【００３９】
このようにして、略４５度折り曲げたターミナル５０を利用して、そのターミナル５０の折曲がった付勢力を利用してキャップ３０を開閉するようにしたことで、ハウジング１１に収納されているターミナル５０に接続するリード線７０の挿抜が単にキャップ３０を開くことのみで行うことができるのであり、極めて使い勝手のよいプラグを提供できるのである。
【産業上の利用可能性】
【００４０】
ハウジングに収容したターミナルを略４５度曲げて形成し、この曲げにより発生する弾性力を利用してハウジングに被せるキャップの開閉を半自動的に行うようにしたことで、接触片と接続するリード線を保持するための部品を削減して構造を簡略化した電線接続用プラグを提供する。
【図面の簡単な説明】
【００４１】
【図１】本願発明に係るプラグを構成するブロックの全体斜視図である。
【図２】同、ハウジングの全体斜視図である。
【図３】同、キャップを表面からみた斜視図である。
【図４】同、キャップを背面からみた斜視図である。
【図５】同、ターミナルの全体斜視図である。
【図６】同、ターミナルの側面図である。
【図７】同、プラグが収納された状態を示す斜視図である。
【図８】同、プラグのキャップを引き出した状態を示す斜視図である。
【図９】同、プラグのキャップが回動して開いた状態を示した斜視図である。
【図１０】従来技術におけるプラグとソケットを示す斜視図である。
【図１１】従来技術におけるプラグの全体斜視図である。
【図１２】従来技術におけるプラグの全体斜視図である。
【図１３】従来技術におけるプラの断面図である。
【図１４】従来技術におけるプラグの断面図である。
【符号の説明】
【００４２】
１１；ハウジング、１２；側板部、１６ａ；ターミナル収納室、１６ｂ；ターミナル収納室、１７；仕切り壁、１８；天板部、１９；キャップガイド溝、２０；キャップ接合面、２１；キャップガイド面、２２；キャップ摺動孔、２３；キャップガイド爪、２４；キャップスライド面、２５；ターミナル載置部、２６；接片露出孔、２７；ターミナル係止孔、３０；キャップ、３１ａ；接触部位収納室、３１ｂ；接触部位収納室、３２；側壁、３３；係合部、３４；係止突起、３５；係合突起、３６；ガイド溝、３７；リード線挿入溝、３８；前板部、３９；仕切り壁、４０；頂面、４１；第１のガイド片係合凸部、４２；第２のガイド片係合凸部、４３；内面、４４；内面、５０；ターミナル、５１；機器接触部、５２；連設部、５３；折曲部、５４；板バネ接触部、５５；支持部、５６；弾性部、５７；接触片、５８；係止片、５９；支持基部、６０；ガイド片、６１；接触支持部、６２；板バネ部、６３；リード線接触部、６４；接触凸部、６５；端部、７０；リード線。
【図１】
2005129447.tif 000003
【図２】
2005129447.tif 000004
【図３】
2005129447.tif 000005
【図４】
2005129447.tif 000006
【図５】
2005129447.tif 000007
【図６】
2005129447.tif 000008
【図７】
2005129447.tif 000009
【図８】
2005129447.tif 000010
【図９】
2005129447.tif 000011
【図１０】
2005129447.tif 000012
【図１１】
2005129447.tif 000013
【図１２】
2005129447.tif 000014
【図１３】
2005129447.tif 000015
【図１４】
2005129447.tif 000016